(57)【要約】    【課題】  搬入作業を容易に行え、又現場作業を少なくして作業性を向上させると共に又必要に応じて構成の変更、追加等が行える様にし、搬入の自由度、設置後の運用の自由度を向上させる。    【解決手段】  格納架２８，２９にユニットが実装されて構成される装置分体を具備し、該装置分体は上下に積重ね可能であり、前記格納架が上下に貫通する支柱３２ａ，３２ｂを有し、該支柱の上端部、下端部が中空となっており、前記装置分体が上下に積重ねられた状態で下段の格納架の支柱の上端部、上段の格納架の支柱の下端部に掛渡って連結具３８が嵌合し、該連結具を介して上下の装置分体が連結可能とした。    【選択図】          図３
2005116656.tif 000002
【特許請求の範囲】
【請求項１】
格納架にユニットが実装されて構成される装置分体を具備し、該装置分体は上下に積重ね可能であり、前記格納架が上下に貫通する支柱を有し、該支柱の上端部、下端部が中空となっており、前記装置分体が上下に積重ねられた状態で下段の格納架の支柱の上端部、上段の格納架の支柱の下端部に掛渡って連結具が嵌合し、該連結具を介して上下の装置分体が連結可能としたことを特徴とする電子機器。
【発明の詳細な説明】
【技術分野】
【０００１】
本発明は無線通信システムの通信装置等大型電子機器、特に電子機器に於ける格納架に関するものである。
【背景技術】
【０００２】
通信装置等の大型電子機器に於いては、所定の機能毎にユニット化され、各ユニットが格納架に収納され、全体として通信装置が構成される様になっている。
【０００３】
図６は通信装置１０の全体斜視図を示しており、１は格納架、２は該格納架１に収納されるユニットを示している。
【０００４】
図７は前記格納架１を示している。該格納架１の底部には、台座３が配設され、該台座３に下フレーム４が固着され、該下フレーム４の４隅に支柱５が立設され、該支柱５の上端には上フレーム６が設けられている。図８に見られる様に、前記格納架１の側面には側面カバー７、背面には背面カバー８、上面には上面カバー９が螺子等により取付けられ、前記格納架１の少なくとも前面は開放されている。
【０００５】
前面側に位置する２つの支柱５には上下に亘って取付けフランジ部１１が設けられており、該取付けフランジ部１１に前記ユニット２の前面パネル１２が螺子１３等により固定される様になっている。
【０００６】
前記通信装置１０は建築物室内、移動シェルタ、船室等様々な場所に設置されるが、設置場所によっては搬入経路が狭く、入組み、経路途中に小さな扉、急な階段があり、而も部屋の入口が小さい等搬入条件が悪い場合もある。
【０００７】
例えば、図９は前記通信装置１０の搬入の様子の一例を示している。図９では設置場所が、階下の幾つか部屋１４，１５を隔てた奥の部屋１６となっている場合を示している。
【０００８】
前記通信装置１０は、階上床１７に設けられた出入口１８より、前記部屋１４へ下ろされ、更に該部屋１４、前記部屋１５間の壁に設けられた出入口１９、該部屋１５、前記部屋１６間の壁に設けられた出入口２１より前記部屋１６に搬入されて所要の位置に設置される。
【０００９】
前記通信装置１０は、高さが人の身長程度あり、前記出入口１８，１９，２１は人の身長に合わせて設けられており、特に船室等では人の身長より低くなっている場合が多い。この為、前記通信装置１０を搬送する場合、前記出入口１８を通過させるには、垂直状態で又前記出入口１９，２１を通過させるには、水平状態に姿勢を変更する必要がある。
【００１０】
又、搬送経路が狭い場合、荷吊り装置の様な搬送補助機器は使用できないので、搬入は全て人手に頼ることが多い。この為、通常では搬送時の重量軽減の為、前記ユニット２を取外し、前記格納架１単体として設置場所迄搬送し、その後該格納架１に前記ユニット２を組込み、ユニット間の配線作業等を行っている。
【００１１】
この為、現場作業が多くなる等作業性が悪いと共に設置作業に多くの時間を要する。又、前記通信装置１０の大きさが搬入経路によって制約を受ける。又、設置条件により前記格納架１の外形寸法の変更、更に該格納架１の外形寸法の変更に伴い前記ユニット２の形状変更をする必要がある等一品、一様の設計・製作となり製作コストの低減ができない。或は、設置後、前記通信装置１０の構成を変更する場合、容易にできない。
【００１２】
尚、筐体の構造として上下に分割可能な構造を持ったものがあり、例えば特許文献１に示される。
【００１３】
【特許文献１】実開昭６２−１９９９８４号公報
【発明の開示】
【発明が解決しようとする課題】
【００１４】
本発明は斯かる実情に鑑み、搬入作業を容易に行え、又現場作業を少なくして作業性を向上させると共に又必要に応じて構成の変更、追加等が行える様にし、搬入の自由度、設置後の運用の自由度を向上させようとするものである。
【課題を解決するための手段】
【００１５】
本発明は、格納架にユニットが実装されて構成される装置分体を具備し、該装置分体は上下に積重ね可能であり、前記格納架が上下に貫通する支柱を有し、該支柱の上端部、下端部が中空となっており、前記装置分体が上下に積重ねられた状態で下段の格納架の支柱の上端部、上段の格納架の支柱の下端部に掛渡って連結具が嵌合し、該連結具を介して上下の装置分体が連結可能とした電子機器に関するものである。
【発明の効果】
【００１６】
本発明によれば、格納架にユニットが実装されて構成される装置分体を具備し、該装置分体は上下に積重ね可能であり、前記格納架が上下に貫通する支柱を有し、該支柱の上端部、下端部が中空となっており、前記装置分体が上下に積重ねられた状態で下段の格納架の支柱の上端部、上段の格納架の支柱の下端部に掛渡って連結具が嵌合し、該連結具を介して上下の装置分体が連結可能としたので、各装置分体は分離可能であり、分離状態で搬入、設置可能となるので、搬入経路の広さ等の制約を受けずに搬入作業が容易となり、又各装置分体毎にユニットを実装して完成状態で搬入することができ、現場での組立配線作業を大幅に軽減でき作業性を向上でき、更に、設置後の配置変更等に対しても装置分体を分離できるので対応が容易である等種々の優れた効果を発揮する。
【発明を実施するための最良の形態】
【００１７】
以下、図面を参照しつつ本発明を実施する為の最良の形態を説明する。
【００１８】
図１〜図３に於いて、本発明に係る格納架、該格納架を具備する通信装置２４について説明する。
【００１９】
該通信装置２４は、複数の装置分体２５，２６（図では上下２段に装置分体を示している）から構成され、台座２７に下段の前記装置分体２５が載置固定され、該装置分体２５、前記装置分体２６を上下に積重ね、接合部を解除可能な構造で連結している。各前記装置分体２５，２６は、それぞれ格納架２８，２９を有し、該格納架２８，２９にユニット２を組込み構成されたものである。
【００２０】
前記格納架２８と前記格納架２９とは基本的に同一構造である。尚、前記ユニット２の実装条件等から高さ方向については差違を生じる場合がある。
【００２１】
以下、前記格納架２８について説明する。
【００２２】
下フレーム３１の４隅に支柱３２ａが立設され、該支柱３２ａの上端には上フレーム３３が設けられている。前記支柱３２ａは矩形中空であり、前記下フレーム３１、上フレーム３３をそれぞれ貫通し、下端、上端は開口している。又、前記支柱３２ａの下部、上部の露出する２面にはそれぞれ止め孔３６が穿設されている。尚前記支柱３２ａは全体が中空でなくとも、上端部、下端部が中空となっていればよい。
【００２３】
図３に見られる様に、前記格納架２８の側面には側面カバー３４、背面には背面カバー３５（図示せず）が螺子等により取付けられ、前記格納架２８の少なくとも前面は開放されている。
【００２４】
前面側に位置する２つの前記支柱３２ａには上下に亘って取付けフランジ部３７が設けられており、前記ユニット２は前記格納架２８に前面側から挿入され、前記取付けフランジ部３７に前面パネル１２が螺子１３等により螺子止めされることで実装される様になっている。
【００２５】
前記格納架２９は前記格納架２８と基本的に同一構造であり、前記台座２７が取付けられていない。従って、前記格納架２８については前記支柱３２ａの上端が開放されており、前記格納架２９については支柱３２ｂの下端、上端が開放されている。
【００２６】
前記格納架２８と前記格納架２９とは連結具３８を介して上下に連結可能である。
【００２７】
該連結具３８は中間位置に鍔部３９を有し、該鍔部３９は前記連結具３８を上下に２分し、下部３８ａは前記格納架２８の支柱３２ａの上端部に嵌脱可能であり、上部３８ｂは前記格納架２９の前記支柱３２ｂの下端部に嵌脱可能である。前記下部３８ａ、前記上部３８ｂそれぞれには前記支柱３２ａの止め孔３６、前記支柱３２ｂの止め孔３６に対応する螺子孔４１が穿設されている。尚、前記連結具３８は中実部材でも、中空部材でもよい。
【００２８】
前記格納架２８の４本の支柱３２ａそれぞれに前記下部３８ａを嵌合する。前記鍔部３９が前記支柱３２ａの上端に係合して、前記連結具３８が位置決めされる。前記格納架２９の支柱３２ｂを前記上部３８ｂに嵌合し、前記支柱３２ａと前記下部３８ａ、前記支柱３２ｂと前記上部３８ｂとをそれぞれ螺子止めすることで、前記格納架２８と前記格納架２９とが強固に連結される。
【００２９】
前記支柱３２ｂの上端開口部にはキャップ４２が装着される。
【００３０】
上記の如く、前記格納架２８と前記格納架２９とは前記連結具３８を介して連結可能である。尚、前記格納架２９の下フレーム３１は前記台座２７に固着可能であり、前記格納架２９を下段とし、該格納架２９に前記格納架２８を載置して連結することも可能である。尚、前記連結具３８の下部３８ａ、上部３８ｂの嵌合長が充分な長さを有していれば前記連結具３８と支柱３２間の螺子止めは省略できる。
【００３１】
図４を参照して、本発明に係る通信装置２４の搬入、設置の様子の一例を説明する。
【００３２】
設置場所については、従来例で説明したと同様、設置場所が、階下の幾つか部屋１４，１５を隔てた奥の部屋１６となっている場合である。
【００３３】
前記格納架２８に前記ユニット２を実装し、又配線作業も完了させ、前記装置分体２５を完成させる。同様に、前記格納架２９に前記ユニット２を実装し、前記装置分体２６を完成させる。
【００３４】
先ず、前記装置分体２５が階上床１７に設けられた出入口１８より、前記部屋１４へ下ろされ、更に該部屋１４、前記部屋１５間の壁に設けられた出入口１９、前記部屋１５，１６間の壁に設けられた出入口２１より前記部屋１６に搬入され、所要の位置に設置される。同様にして前記装置分体２６を前記部屋１６に搬入する。前記連結具３８を前記支柱３２ａに嵌合し、前記連結具３８に前記支柱３２ｂを嵌合し、前記装置分体２５と前記装置分体２６とを前記連結具３８を介して連結させる。前記支柱３２ａと前記連結具３８、前記支柱３２ｂと前記連結具３８とをそれぞれ螺子止めし、前記装置分体２５と前記装置分体２６との連結を完成させる。尚、前記装置分体２６の支柱３２ｂの上端には予め前記キャップ４２を装着しておく。
【００３５】
次に、前記装置分体２５と前記装置分体２６間の配線作業を行って設置作業が完了する。
【００３６】
上記の如く、搬入作業では装置分体２５，２６個々の搬入となり、搬送経路が狭い場合でも容易であり、又ユニット２を組込んだ状態でも装置分体２５，２６の重量は小さいので、人手による搬入が可能となる。又、設置場所での現場作業も装置分体２５と装置分体２６の連結、装置分体２５と装置分体２６の配線作業だけでよく、簡単で短時間に完了する。更に、ユニット２を前記装置分体２５，２６に実装した状態で予め調整作業を完了させることができ、現場での微妙な調整作業を省略でき、精度の高い調整状態での設置を行える。
【００３７】
更に、本発明では通信装置２４の構成の変更、設置状態の変更も可能である。図５を参照して説明する。
【００３８】
図５（Ａ）は、図１で示した基本的な構成を示している。
【００３９】
図５（Ｂ）は基本的な構成に、前記装置分体２６の上側に装置分体２６′を追加したものである。前記装置分体２６と前記装置分体２６′との連結は前記連結具３８を用いて行われる。通信装置２４の全高は高くなるが、搬入、設置は前記装置分体２５，２６，２６′個々に行われるので、出入口の大きさ等に制約を受けることはない。
【００４０】
図５（Ｃ）は、前記装置分体２５と前記装置分体２６とを上下逆にしたものである。前記装置分体２５の格納架２８と前記装置分体２６の格納架２９とは基本的に同一構造であるので、上下逆に連結することも可能である。
【００４１】
図５（Ｄ）は、設置場所に既存するラック４３を利用したものであり、前記装置分体２５を前記ラック４３に収納し、前記装置分体２６を前記ラック４３に載置して、前記装置分体２５と前記装置分体２６とを分離した状態で設置した場合である。尚、分離して設置する場合は、前記格納架２８、前記格納架２９のそれぞれの支柱３２ａ、支柱３２ｂの上端には前記キャップ４２を装着する。又、前記装置分体２５，２６を分離して設置する場合は、前記装置分体２５と前記装置分体２６とを横に並べて設置してもよい。
【００４２】
尚、図５（Ａ）に示す基本的な構成で設置した後、図５（Ｂ）、図５（Ｃ）、図５（Ｄ）の設置の態様に変更することも勿論可能である。更に、装置分体２５、装置分体２６単体で通信装置として機能する場合は、例えば装置分体２５単体で設置することも可能であり、この場合装置分体２５自体が通信装置となる。
【００４３】
本発明によれば、搬入性、設置性、設置後の変更の自由度が大幅に増大する。
【図面の簡単な説明】
【００４４】
【図１】本発明の実施の形態を示す全体斜視図である。
【図２】該実施の形態に於ける格納架の斜視図である。
【図３】該実施の形態に於いて、格納架を上下に分離した斜視図である。
【図４】該実施の形態に於ける電子機器の搬入についての説明図である。
【図５】該実施の形態に於ける装置構成の変更についての説明図である。
【図６】従来例の全体斜視図である。
【図７】従来例の格納架の斜視図である。
【図８】図７のＡ−Ａ矢視図である。
【図９】従来例に於ける電子機器の搬入についての説明図である。
【符号の説明】
【００４５】
２              ユニット
２４            通信装置
２５            装置分体
２６            装置分体
２８            格納架
２９            格納架
３２ａ，３２ｂ  支柱
３８            連結具
４２            キャップ
【図１】
2005116656.tif 000003
【図２】
2005116656.tif 000004
【図３】
2005116656.tif 000005
【図４】
2005116656.tif 000006
【図５】
2005116656.tif 000007
【図６】
2005116656.tif 000008
【図７】
2005116656.tif 000009
【図８】
2005116656.tif 000010
【図９】
2005116656.tif 000011